(57)【要約】【課題】  設定された方向に画質が変化する特殊効果を施すに際して、撮像装置の角度が変化しても、ユーザーの意図した画像を得る。【解決手段】  スルー表示される撮影画像に対して、設定された方向に画質が変化する特殊効果を施すに際して（Ｓ４０７，Ｓ４０８）、検出した撮像装置の角度に応じて特殊効果の方向を設定するが（Ｓ４０２：ＯＦＦ，Ｓ４０３〜Ｓ４０５）、撮影準備の操作入力が続いている間は、検出角度に変更が生じても、特殊効果の方向の設定が変更されないようにする（Ｓ４０２：ＯＮ，Ｓ４０６）。【選択図】  図４
2011166301.tif 000002
【特許請求の範囲】
【請求項１】
撮像手段により得られた撮影画像のスルー表示を行う撮像装置であって、
前記スルー表示の際に撮影条件の設定を含む撮影準備の操作入力とそれに続く撮影動作の操作入力に応じて前記撮像手段による静止画の撮影を行う撮影制御手段と、
前記スルー表示される撮影画像に対して、設定された方向に画質が変化する特殊効果を施す画像処理手段と、
前記撮像装置の角度を検出する検出手段と、
前記検出手段により検出した角度に応じて、前記画像処理手段による特殊効果の方向を設定する設定手段と、
前記撮影準備の操作入力が続いている間は、前記検出手段による検出角度に変更が生じても、前記設定手段により特殊効果の方向の設定が変更されないように制御する設定制御手段と、
を有することを特徴とする撮像装置。
【請求項２】
前記設定手段は、前記検出手段により検出した角度に応じて、前記スルー表示の前記特殊効果の方向を示す枠を変更することを特徴とする請求項１に記載の撮像装置。
【請求項３】
前記撮影された静止画を記録するとともに、撮像装置の角度及び前記特殊効果の方向を記録する記録手段と、をさらに有することを特徴とする請求項１又は２に記載の撮像装置。
【請求項４】
前記特殊効果は、ジオラマ風画像処理であることを特徴とする請求項１〜３のいずれかに記載の撮像装置。
【発明の詳細な説明】
【技術分野】
【０００１】
本発明は、撮像装置により得られた画像に対する特殊効果処理に関する。
【背景技術】
【０００２】
近年、デジタルカメラ等の撮像装置を用いて、従来であればいろいろな機材を用いたり、熟練した撮影者が用いるテクニックを駆使してしか撮影のできなかったような、より個性的な画像を簡単に撮影したいというニーズが高まってきている。この様なニーズを満たすために、特許文献１では、撮影した画像に対してデジタルの特殊効果を行い個性的な画像を簡単に作成する技術が提案されている。また、撮影前の被写体をＬＣＤなどの表示部にスルー表示するときに画像の特殊効果／表示を行い、特殊効果に方向がある場合は、都度方向切り替え操作を行い、その特殊効果を確認しながら撮影が出来るようにしている。
【先行技術文献】
【特許文献】
【０００３】
【特許文献１】特登録０４１５５４１９号
【発明の概要】
【発明が解決しようとする課題】
【０００４】
設定された方向に画質が変化する特殊効果を施す場合、被写体に変化がなくともデジタルカメラの角度が変化したときは、特殊効果の方向が撮影画像と整合しなくなってしまう。これを回避するために、デジタルカメラの角度が変化することに応じて特殊効果の方向も自動的に変化させれば良い。しかし、意図的に特殊効果の方向を固定しておきたいと考えるユーザーも存在するので、この様な自動制御が適切でないことがある。
【０００５】
本発明は上述した問題点を解決するためのものであり、設定された方向に画質が変化する特殊効果を施すに際して、撮像装置の角度が変化しても、ユーザーの意図した画像を得ることができるようにする。
【課題を解決するための手段】
【０００６】
本発明の撮像装置は、撮像手段により得られた撮影画像のスルー表示を行う撮像装置であって、前記スルー表示の際に撮影条件の設定を含む撮影準備の操作入力とそれに続く撮影動作の操作入力に応じて前記撮像手段による静止画の撮影を行う撮影制御手段と、前記スルー表示される撮影画像に対して、設定された方向に画質が変化する特殊効果を施す画像処理手段と、前記撮像装置の角度を検出する検出手段と、前記検出手段により検出した角度に応じて、前記画像処理手段による特殊効果の方向を設定する設定手段と、前記撮影準備の操作入力が続いている間は、前記検出手段による検出角度に変更が生じても、前記設定手段により特殊効果の方向の設定が変更されないように制御する設定制御手段と、を有することを特徴とする。
【発明の効果】
【０００７】
設定された方向に画質が変化する特殊効果を施すに際して、撮像装置の角度が変化しても、ユーザーの意図した画像を得ることができるという効果がある。
【図面の簡単な説明】
【０００８】
【図１】本発明の実施形態のデジタルカメラについて説明する図である。
【図２】デジタルカメラ１００の全体的な動作のフローチャートである。
【図３】デジタルカメラ１００の静止画記録モードのフローチャートである。
【図４】ジオラマ風画像処理の流れを示すフローチャートである。
【図５】ジオラマ風の効果と枠表示を説明する図である。
【発明を実施するための形態】
【０００９】
以下、添付の図面を参照して本発明の好適な実施形態について説明する。
【００１０】
（第１の実施形態）
本実施形態では、本発明をデジタルカメラである撮像装置に適用した場合を例にして説明する。図１（ａ）は実施形態によるデジタルカメラの外観図である。図１（ａ）において、２８は表示部であり、画像や各種情報を表示する。７２は電源スイッチであり、電源オン、電源オフを切り替える。６１はシャッターボタンである。６０はモードダイアルであり、デジタルカメラ１００における各種モードを切り替える。より具体的には、静止画記録モード、動画記録モード、再生モード等のモードの切り替えが可能である。７０は操作部であり、ユーザーからの各種操作を受け付けるための、図示の各種ボタンを有する。電源スイッチ７２は、電源オン、電源オフを切り替える。
【００１１】
図１（ｂ）は、本実施形態によるデジタルカメラ１００の構成例を示すブロック図である。図１（ｂ）において、１０は撮影レンズ、１２は絞り機能を備えるシャッター、１４は光学像を電気信号に変換するＣＣＤやＣＭＯＳ素子等で構成される撮像部である。１６はＡ／Ｄ変換器であり、アナログ信号をデジタル信号に変換する。１８はタイミング発生回路であり、撮像部１４、Ａ／Ｄ変換器１６、Ｄ／Ａ変換器１６にクロック信号や制御信号を供給する。タイミング発生回路１８は、メモリ制御回路２２及びシステム制御部５０により制御される。２０は画像処理回路であり、Ａ／Ｄ変換器１６からのデータ、又は、メモリ制御回路２２からのデータに対し所定の画素補間、縮小といったリサイズ処理や色変換処理を行う。また、画像処理回路２０では、撮像した画像データを用いて所定の演算処理が行われ、得られた演算結果に基づいてシステム制御部５０が露光制御、測距制御を行う。画像処理部回路２０では更に、撮像した画像データを用いて所定の演算処理を行い、得られた演算結果に基づいてＴＴＬ方式のＡＷＢ（オートホワイトバランス）処理も行っている。なお、本実施形態では、Ａ／Ｄ変換器１６からのデータに対して画素補間が行われたものをＲＡＷデータと呼ぶ。また、これに対して、ホワイトバランス処理や色変換処理等の現像処理が施されたものに対して後述のジオラマ風画像処理が施される。
【００１２】
Ａ／Ｄ変換器１６からの出力データは、画像処理回路２０及びメモリ制御回路２２を介して、或いは、直接、メモリ制御回路２２を介して、メモリ３０に書き込まれる。メモリ３０は、撮像部１４によって得られＡ／Ｄ変換器１６によりデジタルデータに変換された画像データや、表示部２８に表示するための画像データを格納する。尚、メモリ３０は、静止画像、動画像および画像ファイルを構成する場合のファイルヘッダを格納するのにも用いられる。圧縮／伸張回路３２は、適応離散コサイン変換（ＡＤＣＴ）等により画像データを圧縮、伸張する。圧縮／伸張回路３２は、シャッター１０１をトリガにしてメモリ３０に格納された撮影画像を読み込んで圧縮処理を行い、処理を終えたデータをメモリ３０に書き込む。また、記録媒体２００の記録部２０２などからメモリ３０に読み込まれた圧縮画像に対して伸張処理を行い、処理を終えたデータをメモリ３０に書き込む。圧縮／伸張回路３２によりメモリ３０に書き込まれた画像データは、システム制御部５０のファイル部においてファイル化され、インターフェース９０を介して記録媒体２００に記録される。また、メモリ３０は画像表示用のメモリ（ビデオメモリ）を兼ねている。２６はＤ／Ａ変換器であり、メモリ３０に格納されている画像表示用のデータをアナログ信号に変換して表示部２８に供給する。２８は表示部であり、ＬＣＤ等の表示器上に、Ａ／Ｄ変換器２６からのアナログ信号に応じた表示を行う。
【００１３】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００１４】
モードダイアル６０は、システム制御部５０の動作モードを静止画記録モード、動画記録モード、再生モード等のいずれかに切り替えることができる。第１シャッタースイッチ６２は、デジタルカメラ１００に設けられたシャッターボタン６１の操作途中、いわゆる半押し（撮影準備の操作入力）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影条件の撮影準備の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部１４からの信号読み出しから記録媒体２００に画像データを書き込むまでの一連の撮影処理の動作を開始する。
【００１５】
９０はメモリカードやハードディスク等の記録媒体２００とのインターフェースである。９２は該記録媒体２００とインターフェース９０との接続のためのコネクタである。２００はメモリカードやハードディスク等の記録媒体である。記録媒体２００は、半導体メモリや磁気ディスク等から構成される記録部２０２、デジタルカメラ１００とのインターフェース２０４、及び、記録媒体２００とデジタルカメラ１００とを接続するためのコネクタ２０６を備えている。２１７は角度センサであり、デジタルカメラ１００の３次元方向の動きを検出することが可能である。角度センサ２１７の出力は、アナログ信号をＡ／Ｄ変換器等で取り込むアナログ方式、デジタル信号をシリアル通信等で取り込むデジタル方式などがあるが、どちらの方式であってもよい。取り込んだ角度信号に対して、信号処理や判定処理を行うことで装置が回転されたことを算出し、その回転方向に応じて機能を実行する。その機能の一つとして、撮影画像の方向保存、撮影画像加工効果の角度変更等の機能が割り当てられる。
【００１６】
図２は、本実施形態のデジタルカメラ１００の全体的な動作を説明するフローチャートである。このフローチャートにおける各処理は、システム制御部５０が不揮発性メモリ５６等に格納されたプログラムをシステムメモリ５２に展開して実行することにより実現される。
【００１７】
電源スイッチ７２が操作され電源がオンに切り替わると、ステップＳ２０１においてシステム制御部５０はフラグや制御変数等を初期化する。続いて、ステップＳ２０２において、記録媒体２００に記録されているファイルに関する管理処理を開始する。モードダイアル６０が動画記録モードに設定されていたならば、処理はステップＳ２０３、Ｓ２０５を経てステップＳ２０６へ進み、動画記録モード処理を実行する。また、モードダイアル６０が再生モードに設定されていた場合、処理はステップＳ２０３、Ｓ２０５を経てステップＳ２０７へ進み、再生モード処理を実行する。
【００１８】
ステップＳ２０４、Ｓ２０６、Ｓ２０７のうちのモードダイアル６０によって設定されたモードに対応した処理を実行した後、処理はステップＳ２０８へ進む。ステップＳ２０８において、システム制御部５０は電源スイッチ７２の設定位置を判断する。電源スイッチ７２が電源オンに設定されていれば、ステップＳ２０３に処理を戻す。一方、電源スイッチ７２が電源オフに設定されていたならば、処理はステップＳ２８からステップＳ２０９へ進み、システム制御部５０は表示部２８の表示を終了状態に変更する等の終了処理を行う。ステップＳ２０９の終了処理が完了すると、本処理を終了し、電源をＯＦＦ状態へ移行する。
【００１９】
図３は、静止画記録モードにおける撮影制御を示すフローチャートであり、前述した図２のステップＳ２０４の処理の詳細である。この静止画記録モードの撮影制御における各ステップは、システム制御部５０が不揮発性メモリ５６等に格納されたプログラムをシステムメモリ５２に展開して実行することにより実現される。尚、図３に示される静止画記録モード処理は、モードダイアル６０により他のモードへの切替が行われた場合や電源スイッチ７２がＯＦＦにセットされた場合に、割り込み処理等により終了するものとする。
【００２０】
システム制御部５０は、静止画記録モードを開始すると、ステップＳ３０１において撮影モードを確定する。撮影モードの確定は、不揮発性メモリ５６より前回の静止画記録モード終了時における撮影モードを取得してシステムメモリ５２に格納することでなされる。ここでいう撮影モードは、静止画を撮影するための撮影モードである。本実施の形態のデジタルカメラ１００は以下のような撮影モードを有する。
【００２１】
（１）オートモード：カメラの各種パラメータが、計測された露出値に基づいてデジタルカメラ１００に組み込まれたプログラムにより自動的に決定されるモード。（２）マニュアルモード：カメラの各種パラメータをユーザーが自由に変更可能なモード。（３）シーンモード：撮影シーンに適したシャッター速度や絞り値、ストロボ発光状態、感度設定等の組み合わせが自動で設定される。シーンモードの１つとして、ジオラマ風モードがある。撮影モードを確定すると、続くステップＳ３０２において、撮像部１４からの画像データを表示するスルー表示を行う。スルー表示は、撮像部１４で撮像されている画像を記録媒体２００に記録することなくほぼリアルタイムの動画で表示部２８に表示するもので、これを見て撮影者は画角の確認や撮影のタイミングを計ることができる。
【００２２】
ステップＳ３０３では、スルー表示を行っている状態で、所定数のフレーム単位で、ステップＳ３０１で確定した撮影モードがジオラマ風モードであるか否かを判定する。ジオラマ風モードであると判定されるとステップＳ３０４に進み、ジオラマ風画像処理を行う。ジオラマ風画像処理については、図４を用いて後述する。ステップＳ３０４が終了するとステップＳ３０６へ進む。一方、ステップＳ３０３でジオラマ風画像処理でなかったと判定すると、ステップＳ３０５へ進む。
【００２３】
ステップＳ３０５において、システム制御部５０は、スルー表示される画像信号中に人の顔が存在するか否かを検出する顔検出を行う。システム制御部５０は、顔検出処理において人の顔が検出された場合、画像信号中において検出した顔の位置座標、サイズ（幅、高さ）、検出個数、信頼性係数等を顔情報としてシステムメモリ５２に記憶する。顔検出処理において顔が検出されなかった場合はシステムメモリ５２内の位置座標、サイズ（幅、高さ）、検出個数、信頼性係数等の領域に０を設定する。
【００２４】
続いてステップＳ３０６において、システム制御部５０は、第１シャッタースイッチ信号ＳＷ１がＯＮしているか否かを判定する。第１シャッタースイッチ信号ＳＷ１がＯＦＦの場合は、処理はステップＳ３０３に戻る。一方、第１シャッタースイッチ信号ＳＷ１がＯＮの場合は、ステップＳ３０７に進む。
【００２５】
ステップＳ３０７では撮影準備動作が行われる。システム制御部５０は、測距処理を行って測距制御回路４０を動作させ、撮影レンズ１０３の焦点を被写体に合わせるとともに、測光処理を行って露光制御回路４０を動作させ、絞り値及びシャッタースピードを決定する。このとき、ステップＳ３０５において顔が検出されていれば、検出した顔の範囲で測距を行う顔ＡＦを行うようにすることも可能である。
【００２６】
次に、ステップＳ３０９、Ｓ３１０では、第１シャッタースイッチ信号ＳＷ１と第２シャッタースイッチ信号ＳＷ２のＯＮ／ＯＦＦ状態を判定する。第１シャッタースイッチ信号ＳＷ１がＯＮした状態で第２シャッタースイッチ信号ＳＷ２がＯＮになると、処理はステップＳ３０９からステップＳ３１０へ進む。第１シャッタースイッチ信号ＳＷ１がＯＦＦになると（第２シャッタースイッチ信号ＳＷ２がＯＮせずに、更に第１シャッタースイッチ信号ＳＷ１も解除された場合）、処理はステップＳ３０９からステップＳ３０３へ戻る。また、第１シャッタースイッチ信号ＳＷ１がＯＮ、第２シャッタースイッチ信号ＳＷ２がＯＦＦの間は、ステップＳ３０８，Ｓ３０９の処理が繰り返される。
【００２７】
第２シャッタースイッチ信号ＳＷ２がＯＮになると、ステップＳ３１０において、システム制御部５０は、表示部２８の表示状態をスルー表示から固定色表示状態（例えば黒一色の表示）に設定する。そして、ステップＳ３１１において、システム制御部５０は、露光処理や現像処理を含む撮影処理を実行する。尚、露光処理では、撮像部１４、Ａ／Ｄ変換器１６を経て得られた画像データが、画像処理回路２０及びメモリ制御回路２２を介して、或いはＡ／Ｄ変換器１６から直接メモリ制御部２２を介して、メモリ３０に書き込まれる。また、現像処理では、システム制御部５０が、メモリ制御回路２２そして必要に応じて画像処理回路２０を用いて、メモリ３０に書き込まれた画像データを読み出して各種処理を行う。すなわち、ステップＳ３０５で顔検出を行った場合はその結果に応じた現像処理がなされる。一方、ステップＳ３０４でジオラマ風画像処理の表示や設定がされそのまま本撮影がなされた場合は、後述のステップＳ４０９で記憶した方向設定に応じて後述のステップＳ４０７のボケ画像処理を含むジオラマ風画像処理も行う。
【００２８】
次に、システム制御部５０は、ステップＳ３１２において、表示部２８に対し撮影処理で得られた画像データのクイックレビュー表示を行う。クイックレビュー表示とは、撮影画像の確認のために、被写体の撮影後であって記録媒体への記録前に、予め決められた時間（レビュー時間）だけ画像データを表示部２８に表示する処理である。ステップＳ３１３において、システム制御部５０は撮影処理で得られた画像データを画像ファイルとして記録媒体２００に対して書き込む記録処理を実行する。ここで、システム制御部５０は、撮影処理で得られた画像データとして、現像処理後であって圧縮伸張回路３１による圧縮処理がされた画像データと記録する。だたし、ユーザーの選択により、ＲＡＷデータの形式で記録するようにしても良い。
【００２９】
次に、ステップＳ３１４において、システム制御部５０は、表示部２８の表示状態をクイックレビュー表示からスルー表示状態に戻す。この処理により、クイックレビュー表示によって撮影画像データを確認した後、表示部２８の表示状態は次の撮影のために撮像部１４からの画像データを逐次表示するスルー表示状態に自動的に切り替わることになる。
【００３０】
そして、ステップＳ３１５において、システム制御部５０は、第１シャッタースイッチ信号ＳＷ１のＯＮ／ＯＦＦを判定し、第１シャッタースイッチ信号ＳＷ１がＯＮの場合はステップＳ３０８へ、ＯＦＦの場合はステップＳ３０３へ処理を戻す。即ち、シャッターボタン６１の半押し状態が継続している（第１シャッタースイッチ信号ＳＷ１がＯＮ）場合は、システム制御部５０は次の撮影に備える（ステップＳ３０８）。一方、シャッターボタン６１が放された状態（第１シャッタースイッチ信号ＳＷ１がＯＦＦ）であったならば、システム制御部５０は、一連の撮影動作を終えて撮影待機状態に戻る（ステップＳ３０３）。
【００３１】
図４はジオラマ風画像処理のフローチャートであり、前述した図３のステップＳ３０４の処理の詳細である。ジオラマ風画像処理は指定した範囲をボカして遠距離感があるように見せる処理であり、デジタルカメラ１００が水平状態にあるときは角度センサー２１７より水平状態を検出して表示部２８に対してＹ軸方向（上下方向）にボケ効果をかけるものである。ここで、図５（ａ）の枠５０１の領域がボケ効果がかかっていない、撮影画像のままの領域であり、枠５０１以外の領域がボケ効果のかかっている領域である。またデジタルカメラ１００の角度を９０度変更することで垂直状態にあるときは角度センサー２１７より垂直状態を検出して表示部２８に対してＸ軸方向（左右方向）にボケ効果をかけるものである（図５（ｂ））。以下のジオラマ風画像処理における各処理は、システム制御部５０が不揮発性メモリ５６等に格納されたプログラムをシステムメモリ５２に展開して実行することにより実現される。
【００３２】
まず、角度センサー２１７より現在のデジタルカメラの角度の検出を行う（Ｓ４０１）。次に、システム制御部５０は、第１シャッタースイッチ信号ＳＷ１のＯＮ／ＯＦＦを判定する（Ｓ４０２）。第１シャッタースイッチ信号ＳＷ１がＯＮの場合はステップＳ４０６へ、ＯＦＦの場合はステップＳ４０３へ処理を進める。
【００３３】
第１シャッタースイッチ信号ＳＷ１がＯＦＦの場合は、ステップＳ４０１で検出した角度が水平角度か否かを判定する（Ｓ４０３）。角度が水平角度であった場合は（ステップＳ４０３：Ｙｅｓ）、ぼかしの効果の方向をＹ軸方向に設定する（ステップＳ４０４）。一方、ステップＳ４０１で検出した角度が垂直角度であった場合は（ステップＳ４０３：Ｎｏ）、ぼかしの効果の方向をＸ軸方向に設定する（ステップＳ４０４）。
【００３４】
第１シャッタースイッチ信号ＳＷ１がＯＦＦの場合は、現在の検出角度にかかわらず、メモリ５２に記憶しておいた前回のぼかし効果の方向を設定する（Ｓ４０６）。
【００３５】
ぼかし効果の方向が設定されると、その設定に基づき、撮影画像に対するボケ画像処理を行う（ステップＳ４０７）。本実施形態では、まず、画像処理回路２０が現像処理後の撮影画像をまびき処理により縮小処理し、再度、もとのサイズに拡大処理することでぼけ画像を生成する。そして、システム制御部５０は、設定されたぼかし方向に対応する枠領域をトリミング処理し、その領域を生成したぼけ画像上に貼り付ける。これにより、枠領域はぼけておらずそれ以外の領域がぼけている、全体としてジオラマ風の効果が得られた画像を生成することができる。
【００３６】
次に、得られたジオラマ風の画像の上に枠の位置を表す単色の描画処理を行い、表示部２８に図５のようなスルー画像を表示する（ステップＳ４０８）。図５（ａ）がステップＳ４０４のＹ軸方向の設定に対応するスルー画の例である。図５（ｂ）がステップＳ４０５のＸ軸方向の設定に対応するスルー画の例である。最後に、ステップＳ４０４〜Ｓ４０６のいずれかの設定の結果をメモリ５２に記憶して、ジオラマ風の画像処理を終了する。
【００３７】
以上の処理を行うことにより、スルー画表示の際に、所定フレーム単位で、検出角度に応じてジオラマ風画像処理のぼけ方向の変更をダイナミックに変更することができる。また、第１シャッタースイッチ信号ＳＷ１がＯＮの場合は検出角度にかかわらず、前回の方向設定を維持するような設定制御を行う。すなわち、ユーザーはシャッターボタン６１を一旦半押しすると、その半押し状態を続けている限り、半押しし始めたときのジオラマ風画像処理の方向をロックすることができる。図５（ａ）の状態でシャッターボタン６１を半押ししてロックした場合の表示例を図５（ｃ）で示す。枠５０１は図５（ｂ）の枠５０２のように回転せずに枠５０３のように水平方向のまま変化しない。図５（ｂ）の状態でシャッターボタン６１を半押ししてロックした場合の表示例を図５（ｄ）で示す。枠５０２は図５（ａ）の枠５０１のように回転せずに枠５０４のように水平方向のまま変化しない。
【００３８】
したがって、ユーザーはデジタルカメラ１００を縦位置にして撮影する場合、ジオラマ風の効果を水平方向のままにしたいときは、そのままカメラを回転すればよい。また垂直方向にジオラマ風の効果をかけたいときは、シャッターボタン６１の半押しでジオラマ風の効果をロックしてデジタルカメラ１００を９０度回転させる。これによりジオラマ風の効果の方向がロックされた状態になり垂直方向にジオラマ風の効果がかかる。なお、シャッターボタン６１の半押し（ＳＷ１）により、ＡＦ設定ＡＥ設定など一連の撮影準備動作も同時におこなうが、画面加工効果とは独立して行う。
【００３９】
以上説明したように、本実施形態によれば、カメラの角度に応じたジオラマ風の効果を撮影の一連動作の中でユーザーの意図どおりに設定できるため、操作性が向上し簡単に個性的な撮影が可能となる。
【００４０】
（第２の実施形態）
第１の実施形態では、図３のステップＳ３０４のジオラマ風画像処理における設定は、ステップＳ３１４の本撮影においても、そのまま反映される。
【００４１】
したがって、本画像においても、ステップＳ３０４で得られたジオラマ風と同じ効果が得られる。また、シャッターボタン６１の半押し（ＳＷ１）によりロックがされた状態でシャッターボタン６１の全押し（ＳＷ２）場合は、ロックがされたまま、静止画の本撮影がなされ記録される。これにより、記録画像は図５（ｃ）及び図５（ｄ）と同様の配置関係を有する。
【００４２】
本実施形態では、システム制御部５０は、静止画として生成される画像のファイルのヘッダに、デジタルカメラの角度検知の結果とともに、ジオラマ処理の方向設定の情報も記録する。これにより、カメラ本体又はパーソナルコンピュータ等にファイルを受け渡した後に再生するに際して、カメラの角度検知の結果が水平角度を示していれば、そのまま記録画像を再生することができる。また、カメラの角度検知の結果が垂直角度を示していれば、記録画像を９０度回転させて表示することができる。また、再生に先立ち、縦位置画像と横位置画像とを分類することもできる。
【００４３】
角度検知の結果と合わせてジオラマ処理の方向設定の情報を利用することにより図５（ａ）〜図５（ｄ）のどのパターンであるかも分類することができる。図５（ａ）と（ｂ）は、ジオラマ風の効果により枠領域内の人物がミニチュア模型のように見える効果を得ることができる一方で、図５（ｃ）と（ｄ）は枠領域の人物が走っている場合は、左右のぼけ領域との対比により、その動作に疾走間があるように見える効果がある。ユーザーは、設定方向のロックを利用することにより、意図してこれらの効果を使い分けることが想定される。したがって、カメラの角度検知の結果と方向設定の組み合わせを判断することにより、撮影画像を解析してシーン認識等をすることなく、シーンを分類することもできる。
【００４４】
また、ヘッダに方向設定の情報を記憶しておけば、記録形式としてＲＡＷ画像データを選択した場合や、ジオラマ風の画像処理を行わずに記録するような仕様にした場合であっても、再生時においてその情報をもとに事後的にジオラマ風画像処理を施すことができる。
【００４５】
（他の実施形態）
上記実施形態では、ぼけ具合についての画質の効果があるジオラマ風画像処理を例に説明したが、設定された方向に画質が変化するものであれば、他の特殊効果においても、本発明は適用可能である。具体的な処理の内容もぼけ処理に限られず、色合いを変化させる処理や、明るさを変化させる処理であってもよい。
【００４６】
また、上記実施形態では、撮影準備の操作入力を行う手段としてシャッターボタンの例を示したが、本発明はこれに限定するものではなく、例えば、タッチパネル上への接触により、撮影準備の操作入力を行うようなものでもよい。この場合、タッチパネルに触れている限り処理方向が変化しない。
【００４７】
また、上記実施形態では、スルー表示の場合において説明したが、本発明はこれに限定されるものではなく、動画撮影モードにおいて実際に動画を記録している期間においても、適用可能なものである。
【符号の説明】
【００４８】
２０  画像処理回路
５０  システム制御回路
１００  デジタルカメラ
【図１】
2011166301.tif 000003
【図２】
2011166301.tif 000004
【図３】
2011166301.tif 000005
【図４】
2011166301.tif 000006
【図５】
2011166301.tif 000007